【手続補正書】
【提出日】平成27年1月9日(2015.1.9)
【手続補正１】
【補正対象書類名】明細書
【補正対象項目名】００６０
【補正方法】変更
【補正の内容】
【００６０】
本明細書に引用したすべての参照文献及び刊行物は、本開示と直接矛盾しうる場合を除いて、それらの全容を参考として本開示に明確に援用するものである。本開示の例示的な実施形態を検討するとともに本開示の範囲内の可能な変形例について言及した。本開示におけるこれらの変形例及び改変例、並びに他の変形例及び改変例は本開示の範囲から逸脱することなく当業者には明らかであり、また、本開示は本明細書に記載される例示的な実施形態に限定されないことは理解されるはずである。したがって本開示は、以下に示す特許請求の範囲によってのみ限定されるべきものである。本発明の実施態様の一部を以下の項目［１］−［３４］に記載する。
[１]
第１の反射偏光板と、
第２の反射偏光板と、
前記第１の反射偏光板と前記第２の反射偏光板との間に配置されたリターダンス層であって、厚さｄを有し、かつ面内屈折率の値ｎｘ及びｎｙ、並びにフィルムの平面に直交する方向の屈折率ｎｚを有するリターダンス層と、を有し、
０．０４＜｜（ｎｘ−ｎｙ）／（０．５（ｎｘ＋ｎｙ）−ｎｚ）｜＜１．００であり、かつ
０．２５ミクロン＜ｄ×｜（ｎｘ−ｎｙ）｜＜７５ミクロンである、光学フィルム積層体。
[２]
０．１２＜｜（ｎｘ−ｎｙ）／（０．５（ｎｘ＋ｎｙ）−ｎｚ）｜＜０．５０である、項目１に記載の光学フィルム積層体。
[３]
０．１５＜｜（ｎｘ−ｎｙ）／（０．５（ｎｘ＋ｎｙ）−ｎｚ）｜＜０．３３である、項目２に記載の光学フィルム積層体。
[４]
０．７５ミクロン＜ｄ×｜（ｎｘ−ｎｙ）｜＜２５ミクロンである、項目１に記載の光学フィルム積層体。
[５]
０．７５ミクロン＜ｄ×｜（ｎｘ−ｎｙ）｜＜２０ミクロンである、項目４に記載の光学フィルム積層体。
[６]
前記リターダンス層と反対側で前記第１の反射偏光板に取り付けられたディフューザープレートを更に有する、項目１に記載の光学フィルム積層体。
[７]
前記ディフューザープレートと前記第１の反射偏光板が光学結合層によって光学的に結合されていて、前記光学結合層が１．２よりも低い屈折率を有する、項目６に記載の光学フィルム積層体。
[８]
前記フィルム積層体を通って伝播する光が少なくとも１．５の光学利得を有する、項目１に記載の光学フィルム積層体。
[９]
前記フィルム積層体を通って伝播する光が少なくとも１．７の光学利得を有する、項目８に記載の光学フィルム積層体。
[１０]
前記フィルム積層体を通って伝播する光が少なくとも１．８の光学利得を有する、項目９に記載の光学フィルム積層体。
[１１]
前記第１の反射偏光板の透過軸が前記第２の反射偏光板の透過軸とほぼ平行である、項目１に記載の光学フィルム積層体。
[１２]
前記第１の反射偏光板及び前記第２の反射偏光板が直線偏光子である、項目１に記載の光学フィルム積層体。
[１３]
前記リターダンス層が第１及び第２のリターダンス副層を有する、項目１に記載の光学フィルム積層体。
[１４]
前記第１のリターダンス副層が第１の速軸を有し、前記第２のリターダンス副層が第２の速軸を有し、前記第１の速軸と第２の速軸とがほぼ平行である、項目１３に記載の光学フィルム積層体。
[１５]
前記第１のリターダンス副層が第１の速軸を有し、前記第２のリターダンス副層が第２の速軸を有し、前記第１の速軸と第２の速軸とがほぼ直交する、項目１３に記載の光学フィルム積層体。
[１６]
第１の反射偏光板と、
第２の反射偏光板と、
前記第１の反射偏光板と前記第２の反射偏光板との間に配置されたリターダンス層であって、直交する面内屈折率の値ｎｘ及びｎｙ、並びにフィルムの平面に直交する方向の屈折率ｎｚを有するリターダンス層と、を有し、
０．０４＜｜（ｎｘ−ｎｙ）／（０．５（ｎｘ＋ｎｙ）−ｎｚ）｜＜１．００であり、かつ
０．２５ミクロン＜ｄ×｜（ｎｘ−ｎｙ）｜＜７５ミクロンであり、更に、
第１及び第２の主面を有する輝度上昇フィルムであって、前記第１の主面が前記リターダンス層とは反対側で前記第２の反射偏光板に取り付けられた滑らかな表面であり、前記第２の主面が複数のプリズム状構造を有する構造化表面である、輝度上昇フィルムを有する、光学フィルム積層体。
[１７]
０．１２＜｜（ｎｘ−ｎｙ）／（０．５（ｎｘ＋ｎｙ）−ｎｚ）｜＜０．５０である、項目１６に記載の光学フィルム積層体。
[１８]
０．１５＜｜（ｎｘ−ｎｙ）／（０．５（ｎｘ＋ｎｙ）−ｎｚ）｜＜０．３３である、項目１７に記載の光学フィルム積層体。
[１９]
０．７５ミクロン＜ｄ×｜（ｎｘ−ｎｙ）｜＜２５ミクロンである、項目１６に記載の光学フィルム積層体。
[２０]
０．７５ミクロン＜ｄ×｜（ｎｘ−ｎｙ）｜＜２０ミクロンである、項目１９に記載の光学フィルム積層体。
[２１]
前記リターダンス層とは反対側で前記第１の反射偏光板に取り付けられたディフューザープレートを更に有する、項目１６に記載の光学フィルム積層体。
[２２]
前記ディフューザープレートと前記第１の反射偏光板とが１．２よりも低い屈折率を有する光学結合層によって光学的に結合される、項目２１に記載の光学フィルム積層体。
[２３]
前記複数のプリズム状構造のそれぞれのプリズム状構造が、約９０°の頂角を有する頂点において出合う２個のファセット面を有する項目１６に記載の光学フィルム積層体。
[２４]
前記フィルム積層体を通って伝播する光が１．５よりも大きい光学利得を有する、項目１６に記載の光学フィルム積層体。
[２５]
前記フィルム積層体を通って伝播する光が１．７よりも大きい光学利得を有する、項目２４に記載の光学フィルム積層体。
[２６]
前記フィルム積層体を通って伝播する光が１．８よりも大きい光学利得を有する、項目２５に記載の光学フィルム積層体。
[２７]
前記複数のプリズム状構造が約２０ミクロン〜約６０ミクロンのピッチを有する、項目１６に記載の光学フィルム積層体。
[２８]
前記リターダンス層が第１及び第２のリターダンス副層を有する、項目１６に記載の光学フィルム積層体。
[２９]
前記第１のリターダンス副層が第１の速軸を有し、前記第２のリターダンス副層が第２の速軸を有し、前記第１の速軸と第２の速軸とがほぼ平行である、項目２８に記載の光学フィルム積層体。
[３０]
前記第１のリターダンス副層が第１の速軸を有し、前記第２のリターダンス副層が第２の速軸を有し、前記第１の速軸と第２の速軸とがほぼ直交する、項目２８に記載の光学フィルム積層体。
[３１]
前記ＰＥＴ副層同士が整列している、項目２８に記載の光学フィルム積層体。
[３２]
前記ＰＥＴ副層同士が交差している、項目２８に記載の光学フィルム積層体。
[３３]
前記第１の反射偏光板の透過軸が前記第２の反射偏光板の透過軸とほぼ平行である、項目１６に記載の光学フィルム積層体。
[３４]
前記輝度上昇フィルムの前記第１の主面と前記第２の反射偏光板とを取り付ける接着層を更に有し、該接着層が１．２よりも低い屈折率を有する、項目１６に記載の光学フィルム積層体。
【手続補正２】
【補正対象書類名】特許請求の範囲
【補正対象項目名】全文
【補正方法】変更
【補正の内容】
【特許請求の範囲】
【請求項１】
第１の反射偏光板と、
第２の反射偏光板と、
前記第１の反射偏光板と前記第２の反射偏光板との間に配置されたリターダンス層であって、厚さｄを有し、かつ面内屈折率の値ｎｘ及びｎｙ、並びにフィルムの平面に直交する方向の屈折率ｎｚを有するリターダンス層と、を有し、
０．０４＜｜（ｎｘ−ｎｙ）／（０．５（ｎｘ＋ｎｙ）−ｎｚ）｜＜１．００であり、かつ
０．２５ミクロン＜ｄ×｜（ｎｘ−ｎｙ）｜＜７５ミクロンである、光学フィルム積層体。
【請求項２】
第１の反射偏光板と、
第２の反射偏光板と、
前記第１の反射偏光板と前記第２の反射偏光板との間に配置されたリターダンス層であって、直交する面内屈折率の値ｎｘ及びｎｙ、並びにフィルムの平面に直交する方向の屈折率ｎｚを有するリターダンス層と、を有し、
０．０４＜｜（ｎｘ−ｎｙ）／（０．５（ｎｘ＋ｎｙ）−ｎｚ）｜＜１．００であり、かつ
０．２５ミクロン＜ｄ×｜（ｎｘ−ｎｙ）｜＜７５ミクロンであり、更に、
第１及び第２の主面を有する輝度上昇フィルムであって、前記第１の主面が前記リターダンス層とは反対側で前記第２の反射偏光板に取り付けられた滑らかな表面であり、前記第２の主面が複数のプリズム状構造を有する構造化表面である、輝度上昇フィルムを有する、光学フィルム積層体。